(57)【要約】【課題】データ情報のダウンロードの失敗時またはテレビジョン番組の映像及び音声の異常時に課金額をディスカウントすることができる情報受信装置を実現する。【解決手段】受信した番組の内容を示すデータで構成される番組情報に基づいて作成された電子番組ガイドから選択された番組の視聴時に、映像あるいは音声の異常を検出する異常検出手段１２２と、異常検出手段１２２において異常が検出されたときに番組の課金額を割り引く課金額設定手段１２３とを備えたことを特徴とする情報受信装置。【選択図】図１
2004312764.tif 000002
【特許請求の範囲】
【請求項１】
送信される番組の内容とその関連するデータで構成される番組情報を受信し、前記情報を利用して番組表を表示し、操作者が前記番組表から選択して視聴した番組に応じた料金を徴収する課金方式の情報受信装置において、受信した番組の内容を示すデータで構成される番組情報に基づいて作成された番組表から選択された番組の視聴時に、映像あるいは音声の異常を検出する異常検出手段と、前記異常検出手段において異常が検出されたときに前記番組の課金額を割り引く課金額割引手段とを備えたことを特徴とする情報受信装置。
【請求項２】
送信される番組の内容とその関連するデータで構成される番組情報を受信し、前記情報を利用して番組表を表示し、操作者が前記番組表から選択して視聴した番組に応じた料金を徴収する課金方式の情報受信装置において、受信した番組の内容を示すデータで構成される番組情報に基づいて作成された番組表から選択された番組の課金額を、視聴率取得手段で取得した視聴率に応じた課金額に設定する課金額設定手段とを備えたことを特徴とする情報受信装置。
【請求項３】
送信される番組の内容とその関連するデータで構成される番組情報を受信し、前記情報を利用して番組表を表示し、操作者が前記番組表から選択して視聴した番組に応じた料金を徴収する課金方式の情報受信装置において、受信した番組の内容を示すデータで構成される番組情報に基づいて作成された番組表から選択された番組の課金額を複数の課金額候補の中から選択する課金額選択手段とを備えたことを特徴とする情報受信装置。
【請求項４】
送信される番組の内容とその関連するデータで構成される番組情報を受信し、前記情報を利用して番組表を表示し、操作者が前記番組表から選択して視聴した番組に応じた料金を徴収する課金方式の情報受信装置において、受信した番組の内容を示すデータで構成される番組情報に基づいて作成された番組表から選択された番組の視聴時に、映像あるいは音声の異常を検出する異常検出手段と、前記異常検出手段で異常検出時に所定の場所に情報を求め、異常の原因を探知し必要な情報を収集する異常原因取得手段と、前記異常原因手段で収集された異常原因をもとに前記番組の課金額を割り引く課金額割引手段とを備えたことを特徴とする情報受信装置。
【請求項５】
送信される番組の内容とその関連するデータで構成される番組情報を受信し、前記情報を利用して番組表を表示し、操作者が前記番組表から選択して視聴した番組に応じた料金を徴収する課金方式の情報受信装置において、受信した番組の内容を示すデータで構成される番組情報に基づいて作成された番組表から選択された番組の視聴時に、映像あるいは音声の異常を検出する異常検出手段と、前記異常検出手段で異常検出時に所定の場所に情報を求め、異常の原因を探知し必要な情報を収集する異常原因取得手段と、前記異常原因取得手段で収集した異常原因を表示する異常原因表示手段とを備えたことを特徴とする情報受信装置。
【請求項６】
送信される番組の内容とその関連するデータで構成される番組情報を受信し、前記情報を利用して番組表を表示し、操作者が前記番組表から選択して視聴した番組に応じた料金を徴収する課金方式の情報受信装置において、受信した番組の内容を示すデータで構成される番組情報に基づいて作成された番組表から選択された番組の視聴時に、所定の場所に情報を求め、視聴中の番組の追加情報を収集する追加情報収集手段と、前記追加情報収集手段で収集された追加情報に基づいて、課金額の割引を行なう課金額割引手段とを備えたことを特徴とする情報受信装置。
【発明の詳細な説明】
【技術分野】
【０００１】
本発明は、ユーザーがダウンロードしたデータまたはユーザが視聴したテレビジョン番組に応じて料金を徴収する課金方式のディジタル放送受信システムにおいて、ユーザのデータのダウンロード状況または番組視聴状況に応じてデータまたは番組の課金額を割り引くサービス、および複数の課金額の中からユーザが自由に課金額を選択できるサービス、およびダウンロードまたは受信異常時に課金額を割り引くサービスを提供することができるディジタル放送受信システムに関するものである。
【背景技術】
【０００２】
近年サービスが開始したデジタル方式の放送では、各種の情報やテレビジョン番組などを数十から数百のチャンネルで提供することが可能であり、例えばテレビジョン番組においては映像データと一緒に番組情報を送信し、受信機側でこれを分析して、モニタ画面上に番組表を表示する電子番組ガイドが提供されている。この電子番組ガイドサービスを実現するために、放送番組に重畳して、複数の番組のチャンネル番号、番組タイトル、放送時刻等の多くの情報を含む番組情報が送信側から配信される。そして、従来の情報受信装置では、視聴者は、例えば、特表平６−５０４１６５号公報に示されるような、横方向に時間軸を設け、縦方向に番組を対応づけて表示する形式のサービスを受け、画面上に区画して表示された各番組を代表するセルを、リモコンなどの入力機器を用いて画面上に表示されるカーソルを操作して指示し、選択することによって、所望の番組を選択し、該選択された番組の視聴や録画予約などを容易に行なうことができる。
【０００３】
また、ディジタル放送方式の実用化に伴って広まりつつあるテレビジョン番組の有料放送の課金方式の一つとして、番組ごとに課金額を定め、ユーザが視聴した番組に応じて料金を徴収するペイパービュー方式がある。ペイパービュー方式の情報受信装置においては、番組情報として、その番組の課金額に関する情報（課金情報）が配信される。ユーザが視聴した番組が課金対象の番組である場合は、番組情報中の課金情報に基づいて視聴料が徴収されることが一般的である。
【０００４】
一方、ゲームのソフトウエアや情報受信装置を制御するためのソフトウエア、またはニュースや株価等の経時的に変化する各種データ情報やカラオケの曲データなどもディジタル放送によって送信されており、情報受信装置ではこれらのデータ情報をダウンロードすることで利用している。データ情報の場合もダウンロードするごとにそのデータ情報につけられた価格を課金される仕組みになっているのが一般的である。
【特許文献１】特表平６−５０４１６５号公報
【発明の開示】
【発明が解決しようとする課題】
【０００５】
このように番組ごとまたはデーター情報ごとに課金額を定め、ユーザが視聴した番組、またはダウンロードしたデータ情報に応じて料金を徴収する従来の課金方式の放送システムは、以上のように構成されており、番組またはデータ情報の課金額はサービス側（送信側）で決定されていて固定されており、送信側が送信を失敗したときや、受信側が完全なダウンロードができなかったときやテレビジョン番組を視聴できなかった場合でも、通常と同額の課金額を支払わなければならなかった。
【０００６】
また、台風や雷などの天候不順により衛星からのデータ情報またはテレビジョン番組が受信できなかった場合でも、やはり正常時と同額の課金額を支払わなければならない。
【０００７】
本発明は、前記の問題点を解決するためになされたもので、データ情報のダウンロードの失敗時またはテレビジョン番組の映像及び音声の異常時に課金額をディスカウントすることができる情報受信装置を実現することを目的とする。
【０００８】
また本発明は、異常の原因を特定の場所で検出し、その原因に基づいた課金額をディスカウントすることができる情報受信装置を実現することを目的とする。
【０００９】
また本発明では、異常の原因をディスプレイに表示し、すばやく視聴者に通知することができる情報受信装置を実現することを目的としている。
【００１０】
また課金額が送信側で固定され、テレビジョン番組の視聴率がよく沢山の人がその番組を見ているにも関わらずその情報は課金額には還元されていない従来のシステムに対して、本発明は、視聴率に応じた課金額を設定することができる情報受信装置を実現することを目的とする。
【００１１】
同様に本発明はダウンロードされる各種ソフトウエアまたはデータのに対して、ダウンロードされる回数の多いもの、すなわち人気の高いソフトウエアまたはデータに対してはダウンロードされる回数に応じた課金額が設定される事ができる情報受信装置を実現することを目的とする。
【００１２】
また課金額が送信側で固定されているため、視聴者のテレビジョン番組に対する意見は課金額には反映されていない従来のシステムに対して、本発明は、複数の課金額の中から自由にユーザが選択できる情報受信装置を実現することを目的とする。
【００１３】
同様に本発明はソフトウエアまたはデータの課金額を自由に選択できる情報受信装置を実現することを目的とする。
【００１４】
また課金額が固定されているため、視聴者が番組中の賞金などで課金額割引権利を取得しても、それを受け取ることができない従来のシステムに対して、本発明は課金額割引権利などの割引情報に応じた割引額を設定できる情報受信装置を実現することを目的とする。
【課題を解決するための手段】
【００１５】
上記の課題を解決するために、本発明にかかる情報受信装置は、視聴中の番組の映像及び音声の異常を検出した場合に、選択された番組の課金額をディスカウントするようにしたものである。また、視聴した番組の視聴率に応じた課金額を設定するようにしたものである。また複数の課金額の中から視聴者が自由に課金額を選択できるようにしたものである。
【発明の効果】
【００１６】
以上のように、本発明の情報受信装置によれば、番組の送り手が番組ごとに異状時の割引率を定め、ユーザが視聴した番組に異常が見られたときにはその異状時の割引率に応じた料金を徴収する、課金方式の情報受信装置において、番組の送り手からユーザに対して、特定の番組に対する異状時の課金額の割引条件情報を提供し、異常が検出された場合に、異状時の割引率に応じて割引された課金額を課金するようにしたから、視聴中の番組に異常が発生したときに、番組の課金額を割り引くサービスを提供することのできる情報受信装置を実現することができ、ユーザは従来までの固定の課金額ではなく、番組異常時に番組課金額が安くなるという効果がある。
【００１７】
また本発明の情報受信装置では、番組の送り手が視聴率ごとの課金額を定め、ユーザが視聴した番組の視聴率に応じた料金を徴収する、課金方式の情報受信装置において、番組の送り手からユーザに対して、視聴率に応じた課金額を提供し、番組視聴終了後にその視聴率を取得して、その視聴率に応じた課金額を課金するようにしたから、視聴した番組の視聴率に応じて課金額が変化するサービスを提供することのできる情報受信装置を実現することができ、ユーザは従来の固定の課金額ではなく、視聴率に応じて課金額が安くなるという効果がある。
【００１８】
また本発明の情報受信装置では、番組の送り手が番組ごとに複数の課金額を定め、ユーザがそれらのうちから好きな課金額を選択してその料金を徴収する、課金方式の情報受信装置において、番組の送り手からユーザに対して、番組に複数の課金額を提供し、その中から選択した課金額を課金するようにしたから、番組の内容に応じて課金額が変化するサービスを提供することのできる情報受信装置を実現することができ、ユーザは従来の固定の課金額ではなく、番組の内容に応じて課金額をユーザが自由に決定できる効果がある。
【００１９】
また本発明の情報受信装置によれば、番組の送り手が番組ごとに異状時の割引率を定め、ユーザが視聴した番組に異常が見られたときにはその異状時の割引率に応じた料金を徴収する、課金方式の情報受信装置において、特定の番組やソフトのダウンロードを失敗したときに、その原因を特定の場所で探して、視聴者が支払うべき本来の課金額ではなく、異常の原因に基づいた新たな課金額を支払うようにしたから、視聴中の番組に異常が発生したときに、番組の課金額を割り引くサービスを提供することのできる情報受信装置を実現することができ、ユーザは従来までの固定の課金額ではなく、番組異常時に番組課金額が安くなるという効果がある。
【００２０】
また異常が発生してもその原因を迅速かつ適切に表示していなかった従来の情報受信装置において、その原因を視聴者に通知するようにしたので、番組受信やソフトのダウンロードを失敗しても、その原因を視聴者に示すことができるサービスを提供できる情報受信装置を実現することができ、ユーザは急に受信が失敗してもその原因を知ることができるという効果がある。
【００２１】
また本発明の情報受信装置では、番組の送り手が視聴率ごとの課金額を定め、ユーザが視聴した番組の視聴率に応じた料金を徴収する、課金方式の情報受信装置において、送り手側が用意した特定の場所をアクセスして、番組の追加情報を収集するようにしたから、送り手側がある特定の視聴者だけに公開するその特定の場所に番組の割引情報を入手することができ、視聴者は従来の固定の課金額ではなく、例えばクイズなどの賞金として課金額が安くなるという効果がある。
【発明を実施するための最良の形態】
【００２２】
本発明の第１の情報受信装置は、送信される番組の内容とその関連するデータで構成される番組情報を受信し、前記情報を利用して番組表を表示し、操作者が前記番組表から選択して視聴した番組に応じた料金を徴収する課金方式のディジタル放送受信システムにおいて、受信した番組の内容を示すデータで構成される番組情報に基づいて作成された番組表から選択された番組の視聴時に、映像あるいは音声の異常を検出する異常検出手段と、前記異常検出手段において異常が検出されたときに前記番組の課金額を割り引く課金額割引手段とを備えたことを特徴とするものである。
【００２３】
本発明の第２の情報受信装置は、送信される番組の内容とその関連するデータで構成される番組情報を受信し、前記情報を利用して番組表を表示し、操作者が前記番組表から選択して視聴した番組に応じた料金を徴収する課金方式のディジタル放送受信システムにおいて、受信した番組の内容を示すデータで構成される番組情報に基づいて作成された番組表から選択された番組の課金額を視聴率に応じた課金額に設定する課金額設定手段とを備えたことを特徴とするものである。
【００２４】
本発明の第３の情報受信装置は、送信される番組の内容とその関連するデータで構成される番組情報を受信し、前記情報を利用して番組表を表示し、操作者が前記番組表から選択して視聴した番組に応じた料金を徴収する課金方式のディジタル放送受信システムにおいて、受信した番組の内容を示すデータで構成される番組情報に基づいて作成された番組表から選択された番組の課金額を複数の課金額候補の中から選択する課金額選択手段とを備えたことを特徴とするものである。
【００２５】
本発明の第４の情報受信装置は、送信される番組の内容とその関連するデータで構成される番組情報を受信し、前記情報を利用して番組表を表示し、操作者が前記番組表から選択して視聴した番組に応じた料金を徴収する課金方式の情報受信装置において、受信した番組の内容を示すデータで構成される番組情報に基づいて作成された番組表から選択された番組の視聴時に、映像あるいは音声の異常を検出する異常検出手段と、前記異常検出手段で異常検出時に所定の場所に情報を求め、異常の原因を探知し必要な情報を収集する異常原因取得手段と、前記異常原因手段で収集された異常原因をもとに前記番組の課金額を割り引く課金額割引手段とを備えたことを特徴とするものである。
【００２６】
本発明の第５の情報受信装置は、送信される番組の内容とその関連するデータで構成される番組情報を受信し、前記情報を利用して番組表を表示し、操作者が前記番組表から選択して視聴した番組に応じた料金を徴収する課金方式の情報受信装置において、受信した番組の内容を示すデータで構成される番組情報に基づいて作成された番組表から選択された番組の視聴時に、映像あるいは音声の異常を検出する異常検出手段と、前記異常検出手段で異常検出時に所定の場所に情報を求め、異常の原因を探知し必要な情報を収集する異常原因取得手段と、前記異常原因取得手段で収集した異常原因を表示する異常原因表示手段とを備えたことを特徴とするものである。
【００２７】
本発明の第６の情報受信装置は、送信される番組の内容とその関連するデータで構成される番組情報を受信し、前記情報を利用して番組表を表示し、操作者が前記番組表から選択して視聴した番組に応じた料金を徴収する課金方式の情報受信装置において、受信した番組の内容を示すデータで構成される番組情報に基づいて作成された番組表から選択された番組の視聴時に、所定の場所に情報を求め、視聴中の番組の追加情報を収集する追加情報収集手段と、前記追加情報収集手段で収集された追加情報に基づいて、課金額の割引を行なう課金額割引手段とを備えたことを特徴とするものである。
【００２８】
（実施の形態１）
図１は、本発明の実施の形態１による情報受信装置を説明するための図であり、図において、１０１は静止画像もしくは動画像からなる映像信号，音声信号及びデータを含む情報源、１０２は映像信号もしくは音声信号を例えばＭＰＥＧ（Ｍｏｖｉｎｇ  Ｐｉｃｔｕｒｅ  Ｉｍａｇｅ  Ｃｏｄｉｎｇ  Ｅｘｐｅｒｔｓ  Ｇｒｏｕｐ  ）に規格される情報源符号化方式に従って符号化する情報エンコード部、１０３は伝送される番組に対して、その番組を選択するために必要な情報である関連情報（例えば番組を構成する映像，音声及びデータの種類，番組番号，開始時刻など。以下、番組付加情報ともいう。）を生成する関連情報生成部であり、通常これらの情報は、ＭＰＥＧのシステム規格書（ＧＥＮＥＲＩＣ  ＣＯＤＩＮＧ  ＯＦ  ＭＯＶＩＮＧ  ＰＩＣＴＵＲＥＳ  ＡＮＤ  ＡＳＳＯＣＩＡＴＥＤ  ＡＵＤＩＯ  ：  ＳＹＳＴＥＭ  Ｒｅｃｏｍｍｅｎｄａｔｉｏｎ  Ｈ．２２２．０，ＩＳＯ／ＩＥＣ  １３８１８−１）、及び欧州のデジタル放送規格であるＤＶＢのシステム規格書（Ｄｉｇｉｔａｌ  Ｖｉｄｅｏ  Ｂｒｏａｄｃａｓｔｉｎｇ（ＤＶＢ）ｓｙｓｔｅｍｓ，ＥＴＳ  ３００  ４６８，Ｊａｎｕａｒｙ  １９９６  ）の規格に基づいて生成される。また、１０４は符号化された信号と関連情報を多重化する多重化部、１０５は伝送路の誤りに対する保護のためデータを加工する誤り訂正符号手段，およびデジタル信号を送出するためのデジタル変調手段を含むチャンネルエンコード部である。また、１０６は送信機，実際の伝送路，及び情報受信装置側のチューナで構成される伝送路である。また、１００は、本実施の形態１による情報受信装置であり、１０７はデジタル変調された信号を復調するデジタル復調手段と、伝送路１０６にて発生するデータ誤りに対する誤り訂正手段とで構成されるチャンネルデコード部、１０８はチャンネルデコード部１０７より出力された多重化されたデジタル信号を、符号化された信号と関連情報に多重分離する多重分離部、１０９は例えばＭＰＥＧに規定される情報源符号化方式に従って符号化された信号を映像信号もしくは音声信号に復号化する情報デコード部、１１０は多重分離部１０８から入力される、番組を選択するために必要な関連情報を処理する関連情報処理部、１１１は情報デコード部１０９と関連情報処理部１１０から出力される映像，音声，データを合成する情報合成部、１１３は情報合成部１１１で合成された映像，音声及びデータを出力するディスプレイ等の情報出力部である。また、１００は情報合成部１１１の出力を入力とし、番組表を作成して出力するとともに、外部信号入力部１１２を介して入力される外部制御信号を入力として番組表を操作し、さらには視聴時に異常を検出したときにその異常に応じて番組の課金額をディスカウントする入出力情報制御部である。また、入力情報記憶部１１４は、入出力情報制御部１００が出力する番組表作成のための関連情報（番組付加情報）を記憶する記憶手段である。
【００２９】
次に入出力情報制御部１００を詳細に説明する。１１５は入出力情報制御部１００を介する情報の制御を行うＣＰＵ（中央処理装置）である。１１６はＣＰＵ１１５がデータの書き込み，読み出し，検索などの制御等、ＣＰＵ１１５に接続された各手段を制御するためのプログラムが格納されたプログラムＲＯＭである。１１７はＣＰＵ１１５が情報の演算，制御を行うときに一時的に情報を格納するためのワークＲＡＭである。１１８は情報合成部１１１との間で映像，音声及び情報の受け渡しを行なう情報入出力手段である。１１９は外部信号入力部１１２を介してユーザによる番組選択等の外部制御信号を入力する外部信号入力手段である。記憶部制御手段１２０は、情報合成部１１１から受け取った情報の入力情報記憶部１１４への記録，読み出しの制御を行う手段であり、この記憶部制御手段１２０は、情報合成部１１１から受け取った番組付加情報を入力情報記憶部１１４に記録し、また、番組表作成のために必要な番組付加情報を入力情報記憶部１１４から読み出して後述する番組表作成手段１２１に提供する。番組表作成手段１２１は、入力情報記憶部１１４に記憶された番組付加情報に基づいて番組表を作成し、情報出力部１１３に対し出力する手段である。異常検出手段１２２は、視聴中の番組において異常の検出を行ない、異常がみられたときには、課金額設定手段１２３で課金額を送り手側の番組付加情報を利用して修正する。
【００３０】
次に、本実施の形態１による情報受信装置の動作について説明する。
【００３１】
まず、情報の送り手側では、情報源１０１からの静止画像もしくは動画像からなる映像信号，音声信号及びデータを情報エンコード部１０２において、例えばＭＰＥＧに規定される情報源符号化方式に従って符号化し、また関連情報生成部１０３でその番組を選択するために必要な情報、例えば情報の内容の関連ジャンル，情報量（データサイズ），時刻情報（番組開始時刻及び番組終了時刻）などの番組付加情報を生成し、情報エンコード部１０２，関連情報生成部１０３から出力される信号，及び番組付加情報を多重化部１０４において多重化する。その多重化は、例えばＭＰＥＧのシステム規格書もしくは欧州のデジタル放送規格であるＤＶＢのシステム規格書に従って行なわれる。多重化されたデジタル信号は、伝送路の誤りに対する保護のためにデータを加工する誤り訂正符号手段及びデジタル信号を送出するためのデジタル変調手段を用いてチャンネルエンコード部１０５で処理され、伝送路１０６で伝送される。例えば、図２のような番組付加情報が映像・音声信号等と多重化され送出される。この例の番組付加情報は、チャンネル番号、番組名、番組開始時刻、番組終了時刻、課金額、異常割引率で構成される。
【００３２】
一方、情報受信装置１００側では、伝送路１０６で伝送された信号に対し、チャンネルデコード部１０７にてデジタル復調及び誤り訂正処理を行う。このチャンネルデコード部１０７は、チャンネルエンコード部１０５と逆の手続きを行うことによって、多重化部１０４が出力する信号と同じものを出力する。多重分離部１０８は、ＭＰＥＧのシステム規格書，及びＤＶＢのシステム規格書に基づいて多重分離を行い、分離された信号は情報デコード部１０９，及び関連情報処理部１１０に出力される。情報デコード部１０９に出力される情報は、例えばＭＰＥＧの規格に従って、映像もしくは音声信号等に復号化される。情報合成部１１１は情報デコード部１０９，及び関連情報処理部１１０から出力される情報を合成し、入出力情報制御部１００に出力する。さらに情報出力部１１３では、映像信号は例えばモニタに、音声信号は例えばスピーカに、データ信号は例えばコンピュータ等に出力される。また、入出力情報制御部１００では、情報合成部１１１から受け取った情報のうち、番組付加情報を記憶部制御手段１２０を介して入力情報記憶部１１４に記録する。
【００３３】
番組表作成手段１２１は、入力情報記憶部１１４に記憶された番組付加情報を記憶部制御手段１２０を介して取得し、このサービス情報に基づいて番組表（電子番組ガイド）を作成し、情報出力部１１３に出力する。情報出力部１１３は電子番組ガイドをモニタ画面上に表示する。例えば、図３に示す電子番組ガイドが表示される。ユーザは、画面上の電子番組ガイドをスクロールまたは画面切り替えを行い、いろいろなチャンネルの番組欄を検索し、希望する番組のセル（番組欄）を例えばリモコン装置やキーボードを用いて選択し、外部信号入力部１１２を介して入出力情報制御部１００の記憶部制御手段１２０に入力する。異常検出手段１２２を介して、視聴中に表示異常が検出されたときには、課金割引手段１２３が入力情報記憶部１１４に記憶されている番組の課金額を修正する。また異常が検出されなければ、入力情報記憶部１１４に記憶されている番組の課金額を修正せずにそのまま利用する。
【００３４】
なお、本実施の形態では、特定の番組の課金額の割引条件情報を、番組放送に重畳して配信される番組情報に含ませて提供する構成としたが、番組情報が番組の課金額の割引条件情報を含まないものとし、情報表示装置が特定の番組についてユーザからの割引要求信号を電話回線等を介して送り手に送信できる構成とし、番組送り手がこの割引要求信号を受けたときにその番組が割引対象となっているものについて番組の課金額の割引条件情報を電話回線等を介して割引要求信号を出した情報表示装置に提供する構成としてもよい。また番組付加情報は、番組と同時に送られるものであっても、単独で送られるものであってもよい。
【００３５】
以上の構成により、視聴中の番組に異常が発生したときに、番組の課金額を割り引くサービスを提供することのできる情報受信装置を実現することができ、ユーザは従来までの固定の課金額ではなく、番組異常時に番組課金額が安くなるという効果がある。
【００３６】
（実施の形態２）
次に、第２の発明の形態例を図面を用いて説明する。
【００３７】
図４は、本発明の実施の形態２による情報受信装置を説明するための図である。実施の形態２の情報受信装置と、実施の形態２の情報受信装置とで同一構成部分のものは、同一番号を付けて説明を省略する。視聴率取得手段４０１は、視聴中の番組の視聴率情報を番組付加情報から取り出す。この情報を利用して、課金額設定手段１２３は課金額を計算する。
【００３８】
以上のように構成された実施の形態２による情報受信装置の動作について説明する。ただし、図５のような番組付加情報が映像・音声と多重化され送出されるものとする。実施の形態２の情報受信装置の動作は、実施の形態１の情報受信装置が電子番組ガイドを表示するところはまで同一であるので、それを省略し、異なる部分のみを説明することにする。番組付加情報に視聴率情報が存在すれば視聴率取得手段４０１を介し、課金額設定手段１２３が入力情報記憶部１１４に記憶されている番組の課金額を修正する。また視聴率情報が存在しなければ、入力情報記憶部１１４に記憶されている番組の課金額を修正せずにそのまま利用する。
【００３９】
なお、本実施の形態では、視聴率に応じた課金額の情報を、番組放送に重畳して配信される番組情報に含ませて提供する構成としたが、番組情報が視聴率に応じた課金額の情報を含まないものとし、テレビ放送システムが視聴率に応じた課金額を要求する信号を電話回線等を介して送り手に送信できる構成とし、番組送り手がこの要求信号を受けたときに、視聴率に応じた課金額を電話回線等を介してテレビ放送システムに提供する構成としてもよい。また個人の視聴状況においても課金額を減らすものであってもよい。
【００４０】
以上の構成により、視聴した番組の視聴率に応じて課金額が変化するサービスを提供することのできる情報受信装置を実現することができ、ユーザは従来の固定の課金額ではなく、視聴率に応じて課金額が安くなるという効果がある。
【００４１】
（実施の形態３）
次に、第３の発明の形態例を図面を用いて説明する。
【００４２】
図６は、本発明の実施の形態３による情報受信装置を説明するための図である。実施の形態２の情報受信装置と、実施の形態３の情報受信装置とで同一構成部分のものは、同一番号を付けて説明を省略する。課金額選択手段６０１は、複数の課金情報が番組付加情報として送られたときに、そのいずれかを視聴者に選択させ、制御を行うものである。課金額選択手段１２３は、課金額選択手段６０１で選択された課金額を番組の新たな課金額として設定する。
【００４３】
以上のように構成された実施の形態３による情報受信装置の動作について説明する。ただし、図７のような番組付加情報が映像・音声と多重化され送出されるものとする。実施の形態３の情報受信装置の動作は、実施の形態１の情報受信装置が電子番組ガイドを表示するところはまで同一であるので、それを省略し、異なる部分のみを説明することにする。番組情報に視聴率情報が存在すれば視聴率選択手段６０１を介し、課金額設定手段１２３が入力情報記憶部１１４に記憶されている番組の課金額を修正する。また視聴率情報が存在しなければ、入力情報記憶部１１４に記憶されている番組の課金額を修正せずにそのまま利用する。
【００４４】
なお、本実施の形態では、課金額の情報を、番組放送に重畳して配信される番組情報に含ませて提供する構成としたが、番組情報が課金額の情報を含まないものとし、テレビ放送システムが課金額を要求する信号を電話回線等を介して送り手に送信できる構成とし、番組送り手がこの要求信号を受けたときに、課金額を電話回線等を介してテレビ放送システムに提供する構成としてもよい。
【００４５】
以上の構成により、番組の内容に応じて課金額が変化するサービスを提供することのできる情報受信装置を実現することができ、ユーザは従来の固定の課金額ではなく、番組の内容に応じて課金額をユーザが自由に決定できる効果がある。
【００４６】
（実施の形態４）
次に、第４の発明の形態例を図面を用いて説明する。
【００４７】
図８は、本発明の実施の形態４による情報受信装置を説明するための図である。実施の形態２の情報受信装置と、実施の形態４の情報受信装置とで同一構成部分のものは、同一番号を付けて説明を省略する。異常検出手段１２２で異常が検出されたとき、異常原因取得手段８０１は所定の場所に情報を求め、異常原因を探知する。この情報をもとに、課金額設定手段１２３は新たな課金額を設定する。
【００４８】
以上のように構成された実施の形態４による情報受信装置の動作について説明する。実施の形態４の情報受信装置の動作は、実施の形態１の情報受信装置が電子番組ガイドを表示するところはまで同一であるので、それを省略し、異なる部分のみを説明することにする。異常検出手段１２２を介して、視聴中に表示異常が検出されたときには、異常原因取得手段８０１を介して特定の場所に情報を求め、異常の原因を探知し必要な情報を収集する。例えば、気象情報関連情報が集まったデータベースをアクセスし、現在視聴者が住んでいる場所の気象情報を入手し、この気象情報すなわち異常原因を入力として、課金額設定手段１２３が入力情報記憶部１１４に記憶されている番組の課金額を修正する。また異常が検出されなければ、入力情報記憶部１１４に記憶されている番組の課金額を修正せずにそのまま利用する。
【００４９】
なお本実施の形態では、異常検出時に情報を求めるためにアクセスする特定の場所としてデータベースを利用したが、異常原因と考えられるデータが集まっていれば何でも良く、例えば現在主流となりつつあるインターネットのホームページでも良い。
【００５０】
以上の構成により、視聴中の番組に異常が発生したときに、番組の課金額を割り引くサービスを提供することのできる情報受信装置を実現することができ、ユーザは従来までの固定の課金額ではなく、番組異常時に番組課金額が安くなるという効果がある。
【００５１】
（実施の形態５）
次に、第５の発明の形態例を図面を用いて説明する。
【００５２】
図９は、本発明の実施の形態５による情報受信装置を説明するための図である。実施の形態２の情報受信装置と、実施の形態５の情報受信装置とで同一構成部分のものは、同一番号を付けて説明を省略する。異常原因制御手段９０１は、異常検出手段１２２で異常が検出されたときに異常原因取得手段８０１で取得した異常の原因を情報出力部１１３に出力する。
【００５３】
以上のように構成された実施の形態５による情報受信装置の動作について説明する。実施の形態５の情報受信装置の動作は、実施の形態１の情報受信装置が電子番組ガイドを表示するところはまで同一であるので、それを省略し、異なる部分のみを説明することにする。異常検出手段１２２を介して、視聴中に表示異常が検出されたときには、異常原因取得手段８０１を介して特定の場所に情報を求め、異常の原因を探知し必要な情報を収集する。例えば、気象情報関連情報が集まったデータベースをアクセスし、現在視聴者が住んでいる場所の気象情報を入手し、気象情報すなわち異常原因を入力として、異常情報制御手段８０１が取得した異常原因を情報出力部１１３に出力し、情報出力部１１３はその異常原因をモニタ画面上に表示する。
【００５４】
なお本実施の形態では、異常検出時に情報を求めるためにアクセスする特定の場所としてデータベースを利用したが、異常原因と考えられるデータが集まっていれば何でも良く、例えば現在主流となりつつあるインターネットのホームページでも良い。
【００５５】
以上の構成により、番組受信やソフトのダウンロードを失敗しても、その原因を視聴者に示すことができるサービスを提供できる情報受信装置を実現することができ、ユーザは急に受信が失敗してもその原因を知ることができるという効果がある。
【００５６】
（実施の形態６）
次に、第６の発明の形態例を図面を用いて説明する。
【００５７】
図１０は、本発明の実施の形態６による情報受信装置を説明するための図である。実施の形態２の情報受信装置と、実施の形態６の情報受信装置とで同一構成部分のものは、同一番号を付けて説明を省略する。追加情報収集手段１００１は、視聴中の番組に関する追加情報を所定の場所で収集する。これらの情報をもとに、課金額設定手段１２３は新たな課金額を設定する。
【００５８】
以上のように構成された実施の形態６による情報受信装置の動作について説明する。実施の形態６の情報受信装置の動作は、実施の形態１の情報受信装置が電子番組ガイドを表示するところはまで同一であるので、それを省略し、異なる部分のみを説明することにする。追加情報収集手段１００１を介して特定の場所に情報を求め、視聴中の番組の追加情報を探知し必要な情報を収集する。例えば、送り手側が用意した特定の場所にアクセスして、例えばクイズで正解したときの割引券を入手し、この入手した追加情報を入力として、課金額設定手段１２３が入力情報記憶部１１４に記憶されている番組の課金額を修正する。
【００５９】
以上の構成により、送り手側がある特定の視聴者だけに公開するその特定の場所に番組の割引情報を入手することができ、視聴者は従来の固定の課金額ではなく、例えばクイズなどの賞金として課金額が安くなるという効果がある。
【産業上の利用可能性】
【００６０】
本発明にかかる情報受信装置は、視聴中の番組に異常が発生したときに番組の課金額を割り引いたり、視聴した番組の視聴率や番組の内容に応じて課金額を変化させたり、番組受信やソフトのダウンロードを失敗してもその原因を視聴者に確認させたり、送り手側がある特定の視聴者だけに公開するその特定の場所に番組の割引情報を入手することができるものであり、ユーザのデータのダウンロード状況または番組視聴状況に応じてデータまたは番組の課金額を割り引くサービス、複数の課金額の中からユーザが自由に課金額を選択できるサービス、ダウンロードまたは受信異常時に課金額を割り引くサービスを提供することができるディジタル放送受信システム等において有用である。
【図面の簡単な説明】
【００６１】
【図１】本発明の実施の形態１による情報受信装置の構成を示す図
【図２】本発明の実施の形態１による情報受信装置において、番組の送り手側から送信される番組情報の一例を示す図
【図３】番組情報にもとづいて作成される電子番組ガイドの一例を示す図
【図４】本発明の実施の形態２による情報受信装置の構成を示す図
【図５】本発明の実施の形態２による情報受信装置において、番組の送り手側から送信される番組情報の一例を示す図
【図６】本発明の実施の形態３による情報受信装置の構成を示す図
【図７】本発明の実施の形態３による情報受信装置において、番組の送り手側から送信される番組情報の一例を示す図
【図８】本発明の実施の形態４による情報受信装置の構成を示す図
【図９】本発明の実施の形態５による情報受信装置の構成を示す図
【図１０】本発明の実施の形態６による情報受信装置の構成を示す図
【符号の説明】
【００６２】
１００    入出力情報制御部
１０１    情報源
１０２    情報エンコード部
１０３    関連情報生成部
１０４    多重化部
１０５    チャンネルエンコード部
１０６    伝送路
１０７    チャンネルデコード部
１０８    多重分離部
１０９    情報デコード部
１１０    関連情報処理部
１１１    情報合成部
１１２    外部信号入力部
１１３    情報出力部
１１４    入力情報記憶部
１１５    ＣＰＵ
１１６    プログラムＲＯＭ
１１７    ワークＲＡＭ
１１８    情報入出力手段
１１９    外部信号入力手段
１２０    記憶部制御手段
１２１    番組表作成手段
１２２    異常検出手段
１２３    課金額設定手段
４０１    視聴率取得手段
６０１    課金額選択手段
８０１    異常原因取得手段
９０１    異常原因制御手段
１００１    追加情報収集手段
【図１】
2004312764.tif 000003
【図２】
2004312764.tif 000004
【図３】
2004312764.tif 000005
【図４】
2004312764.tif 000006
【図５】
2004312764.tif 000007
【図６】
2004312764.tif 000008
【図７】
2004312764.tif 000009
【図８】
2004312764.tif 000010
【図９】
2004312764.tif 000011
【図１０】
2004312764.tif 000012